(57)【要約】【課題】運転者を含む車両の乗員に快適な空調感を与えることが可能な車両用空調装置を提供する。【解決手段】車両用空調装置１０は、車室内を複数の領域に分割し、空調を優先する優先空調領域を選択する優先領域選択部２０１と、優先領域選択部２０１による選択結果に基づき、温度検出を優先する優先検出領域を決定する検出領域決定部２０２と、検出領域決定部２０２の決定結果に基づいて検出した温度を反映させた温熱感表示を表示パネル４２に行わせる表示制御部２０３と、を備える。【選択図】図１
2018103946.tif 000002
【特許請求の範囲】
【請求項１】
車両用空調装置であって、
車室内を複数の領域に分割し、空調を優先する優先空調領域を選択する優先領域選択部（２０１）と、
前記優先領域選択部による選択結果に基づき、温度検出を優先する優先検出領域を決定する検出領域決定部（２０２）と、
前記検出領域決定部の決定結果に基づいて検出した温度を反映させた温熱感表示を表示パネルに行わせる表示制御部（２０３）と、を備える車両用空調装置。
【請求項２】
請求項１に記載の車両用空調装置であって、
前記優先領域選択部は、空調を優先する領域の選択を受け付ける、車両用空調装置。
【請求項３】
請求項１又は２に記載の車両用空調装置であって、
更に、前記検出領域決定部の決定結果に従って前記車室内の温度を検出する赤外線センサ（３０１）を備える、車両用空調装置。
【請求項４】
請求項３に記載の車両用空調装置であって、
更に、前記赤外線センサを駆動するセンサ駆動部（３０２）を備える、車両用空調装置。
【請求項５】
請求項４に記載の車両用空調装置であって、
前記センサ駆動部は、前記優先検出領域において乗員表面温度だけはなく、乗員の周囲の温度も検出できるように前記赤外線センサを駆動する、車両用空調装置。
【請求項６】
請求項５に記載の車両用空調装置であって、
前記センサ駆動部は、前記優先検出領域において解像度が向上するように前記赤外線センサを駆動する、車両用空調装置。
【請求項７】
請求項１又は２に記載の車両用空調装置であって、
前記表示制御部は、前記優先検出領域以外の非優先領域の温度が不快方向に振れるとそのことを表示させる、車両用空調装置。
【発明の詳細な説明】
【技術分野】
【０００１】
本開示は、車両用空調装置に関する。
【背景技術】
【０００２】
車両用空調装置として、例えば下記特許文献１に記載されているように、車室内の乗員が運転者一人のみの場合に特化し、運転者に快適な空調感を与えることを目的とするものが知られている。
【先行技術文献】
【特許文献】
【０００３】
【特許文献１】特開２００９−２９２２９３号公報
【発明の概要】
【発明が解決しようとする課題】
【０００４】
特許文献１では、運転者の温熱感を把握することができておらず、運転者にとってみても必ずしも快適な空調とはいえない場合がある。また、運転者の温熱感を把握することができていないことに加え、その他の乗員における温熱感も把握することができていないため、乗員全員に対して必ずしも快適な空調を提供することができているとはいえないものである。
【０００５】
本開示は、運転者を含む車両の乗員に快適な空調感を与えることが可能な車両用空調装置を提供することを目的とする。
【課題を解決するための手段】
【０００６】
本開示は、車両用空調装置であって、車室内を複数の領域に分割し、空調を優先する優先空調領域を選択する優先領域選択部（２０１）と、優先領域選択部による選択結果に基づき、温度検出を優先する優先検出領域を決定する検出領域決定部（２０２）と、検出領域決定部の決定結果に基づいて検出した温度を反映させた温熱感表示を表示パネルに行わせる表示制御部（２０３）と、を備える。
【０００７】
本開示によれば、空調を優先する優先空調領域を選択し、その選択した優先空調領域に対応するように優先検出領域を決定するので、選択した優先空調領域に着座する乗員の温熱感を優先させるように温度検出を行うことが可能となる。更に、優先検出領域において検出した温度を反映させた温熱感表示を行うことで、優先空調領域に着座する乗員の温熱感を確認することができる。
【０００８】
尚、「課題を解決するための手段」及び「特許請求の範囲」に記載した括弧内の符号は、後述する「発明を実施するための形態」との対応関係を示すものであって、「課題を解決するための手段」及び「特許請求の範囲」が、後述する「発明を実施するための形態」に限定されることを示すものではない。
【発明の効果】
【０００９】
本開示によれば、運転者を含む車両の乗員に快適な空調感を与えることが可能な車両用空調装置を提供することができる。
【図面の簡単な説明】
【００１０】
【図１】図１は、車両用空調装置の機能的な構成を示すブロック構成図である。
【図２】図２は、図１に示される操作パネルについて説明するための図である。
【図３】図３は、図１に示される表示パネルについて説明するための図である。
【図４】図４は、図１に示される赤外線センサの挙動を説明するための図である。
【図５】図５は、図１に示される赤外線センサの挙動を説明するための図である。
【発明を実施するための形態】
【００１１】
以下、添付図面を参照しながら本実施形態について説明する。説明の理解を容易にするため、各図面において同一の構成要素に対しては可能な限り同一の符号を付して、重複する説明は省略する。
【００１２】
図１に示されるように、本実施形態に係る車両用空調装置１０は、温度検出制御部２０と、センサ保持部３０と、空調制御部４０と、操作パネル４１と、表示パネル４２と、を備えている。
【００１３】
温度検出制御部２０とセンサ保持部３０とは、互いにデータ通信可能なように構成されている。空調制御部４０は、車両用空調装置１０に含まれる冷凍サイクルや送風ファンやエアミックスドア（いずれも不図示）を制御し、車両用空調装置１０が搭載される車両車室内を空調するものである。空調制御部４０は、温度検出制御部２０から出力される情報に基づいて、車室内を空調する。
【００１４】
センサ保持部３０は、赤外線センサ３０１と、センサ駆動部３０２とを有している。センサ保持部３０は、赤外線センサ３０１を保持する部分である。センサ駆動部３０２は、赤外線センサ３０１を所定方向の所定範囲に動かすことが可能なように構成されている。センサ駆動部３０２は、温度検出制御部２０から出力される指示信号に基づいて赤外線センサ３０１を駆動する。
【００１５】
赤外線センサ３０１は、複数の赤外線検出素子が行列状に配置されている。赤外線検出素子が検出した温度データは、温度検出制御部２０に出力される。
【００１６】
温度検出制御部２０は、ＣＰＵ、ＲＡＭ、ＲＯＭ、及び入出力ポートを含むものである。温度検出制御部２０は、車内ネットワークを通して車両に搭載された他のＥＣＵ（Ｅｌｅｃｔｒｏｎｉｃ  Ｃｏｎｔｒｏｌ  Ｕｎｉｔ）と情報通信可能なように構成されている。温度検出制御部２０は機能的な構成要素として、優先領域選択部２０１と、検出領域決定部２０２と、表示制御部２０３と、駆動制御部２０４と、を備えている。
【００１７】
優先領域選択部２０１は、車室内を複数の領域に分割し、空調を優先する優先空調領域を選択する部分である。優先領域選択部２０１は、操作パネル４１に入力された情報を、空調を優先する領域の選択情報として受け付けることができる。
【００１８】
図２を参照しながら、操作パネル４１の一例について説明する。図２に示されるように、操作パネル４１には「温度検出位置」として、空調を優先する領域が選択入力可能なように、「全席」「Ｆｒ左」「Ｆｒ右」「Ｒｒ左」「Ｒｒ右」といった選択ボタンが表示されている。
【００１９】
「全席」が選択されると、優先領域選択部２０１は、全ての座席が優先空調領域として選択されたものと認識する。「Ｆｒ左」が選択されると、前席左側の座席が優先空調領域として選択されたものと認識する。「Ｆｒ右」が選択されると、前席右側の座席が優先空調領域として選択されたものと認識する。「Ｒｒ左」が選択されると、後席左側の座席が優先空調領域として選択されたものと認識する。「Ｒｒ右」が選択されると、後席右側の座席が優先空調領域として選択されたものと認識する。優先領域選択部２０１は、認識した優先空調領域を特定する情報を検出領域決定部２０２に出力する。
【００２０】
検出領域決定部２０２は、優先領域選択部２０１による選択結果に基づき、温度検出を優先する優先検出領域を決定する部分である。優先領域選択部２０１による選択結果が「全席」の場合、検出領域決定部２０２は、全ての座席に着座している乗員を少なくとも含む領域を優先検出領域として決定する。優先領域選択部２０１による選択結果が「Ｆｒ左」の場合、検出領域決定部２０２は、前席左側の座席に着座している乗員を少なくとも含む領域を優先検出領域として決定する。優先領域選択部２０１による選択結果が「Ｆｒ右」の場合、検出領域決定部２０２は、前席右側の座席に着座している乗員を少なくとも含む領域を優先検出領域として決定する。優先領域選択部２０１による選択結果が「Ｒｒ左」の場合、検出領域決定部２０２は、後席左側の座席に着座している乗員を少なくとも含む領域を優先検出領域として決定する。優先領域選択部２０１による選択結果が「Ｒｒ右」の場合、検出領域決定部２０２は、後席右側の座席に着座している乗員を少なくとも含む領域を優先検出領域として決定する。
【００２１】
検出領域決定部２０２は、各優先領域において着座している乗員を少なくとも含む領域を優先検出領域として決定する。優先検出領域としては、乗員のみを含むような狭い領域でもよく、乗員近傍のシートや窓ガラスや天井を含むような比較的広い領域を設定してもよい。
【００２２】
表示制御部２０３は、検出領域決定部２０２の決定結果に基づいて検出した温度を反映させた温熱感表示を表示パネル４２に行わせる部分である。図３を参照しながら、表示パネル４２に表示される温熱感表示の一例について説明する。図３においては、温熱感が比較的低い領域を薄いグレーで示し、温熱感が比較的高い領域を濃いグレーで示している。
【００２３】
優先検出領域が、全ての座席に着座している乗員を少なくとも含む領域である場合は、当然ながら図３に示されるような温熱感表示となる。優先検出領域が、いずれかの座席に着座している乗員を少なくとも含む領域である場合は、そのいずれかの座席に着座している乗員のみの温熱感表示を行ってもよいが、全ての座席に着座している乗員を少なくとも含む領域についての温熱感表示を行うことが好ましい。
【００２４】
例えば、「Ｆｒ左」が優先空調領域として選択され、前席左側の座席に着座している乗員及びその周囲について優先的に温度検出する場合であっても、その他の座席に着座している乗員及びその周囲について温度検出してもよい。優先空調領域や優先検出領域はあくまでも、「優先的に」温度を検出する領域であるから、優先検出領域について温度検出を実行した後に、優先検出領域以外の非優先領域について温度検出を実行することができる。
【００２５】
表示パネル４２には、優先検出領域や非優先領域において、温度が不快方向に振れるとそのことを表示することが好ましい。温度が不快方向に振れたことの表示は、文字表示にしてもよく、色表示にしてもよい。
【００２６】
駆動制御部２０４は、センサ駆動部３０２に赤外線センサ３０１の検出方向が連続的に変化するように駆動指示を出力する部分である。図４に示されるように、赤外線センサ３０１は、車室５内の温度を検出するため、上下左右に検出方向が連続的に変化するように駆動される。
【００２７】
図５を参照しながら、赤外線センサ３０１を駆動し、優先検出領域の温度検出を行う態様について説明する。図５に示されるように、車室内５において、赤外線センサ３０１側に前方側座席５０，５１が設けられており、前方側座席５０，５１を挟んで赤外線センサ３０１よりも遠い側に後方側座席５２が設けられている。前方側座席５０には乗員ＨＦＲが着座しており、前方側座席５１には乗員ＨＦＬが着座している。後方側座席５２には、赤外線センサ３０１から見て右側から順に、乗員ＨＲＲ、乗員ＨＲＣ、乗員ＨＲＬが着座している。
【００２８】
前方側座席５１の側方には、サイドウィンドウ６１が設けられている。前方側座席５０の側方には、サイドウィンドウ６２が設けられている。後方側座席５２の側方には、サイドウィンドウ６３，６４が設けられている。後方側座席５２の後方には、リアガラス６５が設けられている。
【００２９】
赤外線センサ３０１は、例えば、前方側座席５１を含む領域を優先空調領域とした上で、乗員ＨＦＬ周辺の狭い範囲を優先検出領域ＺＦＬとしてもよい。狭い範囲を優先検出領域ＺＦＬとすることで、迅速に温度検出を行うことができる。また、優先検出領域ＺＦＬにおいて、解像度が向上するように、赤外線センサ３０１の駆動ステップを細かくすることもできる。
【００３０】
赤外線センサ３０１は、例えば、前方側座席５０を含む領域を優先空調領域とした上で、乗員ＨＦＲに加えて、前方側座席５０及びサイドウィンドウ６２を含む比較的広い範囲を優先検出領域ＺＦＲとしてもよい。乗員ＨＦＲの表面温度だけでなく、乗員ＨＦＲの周囲からの輻射温度も検出することができるので、温熱感をより正確に捉えることができる。
【００３１】
上記したように本実施形態に係る車両用空調装置１０は、車室５内を複数の領域に分割し、空調を優先する優先空調領域を選択する優先領域選択部２０１と、優先領域選択部２０１による選択結果に基づき、温度検出を優先する優先検出領域を決定する検出領域決定部２０２と、検出領域決定部２０２の決定結果に基づいて検出した温度を反映させた温熱感表示を表示パネルに行わせる表示制御部２０３と、を備える。
【００３２】
本実施形態によれば、空調を優先する優先空調領域を選択し、その選択した優先空調領域に対応するように優先検出領域を決定するので、選択した優先空調領域に着座する乗員の温熱感を優先させるように温度検出を行うことが可能となる。更に、優先検出領域において検出した温度を反映させた温熱感表示を行うことで、優先空調領域に着座する乗員の温熱感を確認することができる。
【００３３】
また本実施形態では、優先領域選択部２０１は、空調を優先する領域の選択を受け付ける。より具体的には、操作パネル４１に入力された情報に基づいて、空調を優先する領域の選択を受け付ける。このようにすることで、乗員の意図を反映した優先空調領域の選択を行うことができる。また、表示パネル４２に温熱感表示を行っているので、優先空調領域を指定する効果を乗員が確認することができ、指定の効果を明確に認識することができる。特に、後席に言葉では温熱感が上手く伝えられない乗員が乗車している場合や、温熱感の感度が鈍くなった乗員が乗車している場合には、指定効果を別の乗員が認識することができることで、空調の温度調整等に反映させることができる。更に、優先空調領域における温熱感が他の領域よりも向上した場合には、優先空調領域以外における温熱感を手当したほうがいいことを表示することもできる。空調制御部４０は、優先空調領域を優先的に空調するように動作したり、温熱感を反映させた空調を行うように動作したりすることが可能となる。
【００３４】
また本実施形態では、更に、検出領域決定部２０２の決定結果に従って車室５内の温度を検出する赤外線センサ３０１を備える。赤外線センサ３０１は、検出領域決定部２０２の決定結果に従って車室５内の温度を検出するので、指定した乗員の周辺のみを細かく且つ迅速に温度検出することができる。
【００３５】
また本実施形態では、更に、赤外線センサ３０１を駆動するセンサ駆動部３０２を備える。赤外線センサ３０１を駆動することで、赤外線センサ３０１の温度検出範囲をより広くすることができる。
【００３６】
また本実施形態では、センサ駆動部３０２は、優先検出領域において乗員表面温度だけはなく、乗員の周囲の温度も検出できるように赤外線センサ３０１を駆動する。乗員の周囲の温度も検出することで、乗員の温熱感をより正確に捉えることができる。
【００３７】
また本実施形態では、センサ駆動部３０２は、優先検出領域において解像度が向上するように赤外線センサ３０１を駆動する。このように駆動することで、優先検出領域における温度検出の精度を向上させることができる。
【００３８】
また本実施形態では、表示制御部２０３は、優先検出領域以外の非優先領域の温度が不快方向に振れるとそのことを表示させることも可能である。
【００３９】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。例えば、ウェアラブル皮膚温度センサを用いて、その皮膚温が不快領域に近い着座箇所を優先的に空調することも好ましい。
【符号の説明】
【００４０】
２０１：優先領域選択部
２０２：検出領域決定部
２０３：表示制御部
【図１】
2018103946.tif 000003
【図２】
2018103946.tif 000004
【図３】
2018103946.tif 000005
【図４】
2018103946.tif 000006
【図５】
2018103946.tif 000007